(57)【要約】【課題】肩揃え部の異物堆積を防止して円滑な肩揃えによる茎葉切断を確保しうる茎葉切断装置を備える根菜類収穫機を提供する。【解決手段】根菜類収穫機は、圃場から作物を引抜き搬送する引抜搬送装置(Ｃ)と、この引抜搬送装置(Ｃ)による搬送中の作物の茎葉部を一定長さに切断する茎葉切断装置(Ｄ)とを備え、前記茎葉切断装置(Ｄ)は、作物を一定の高さ位置に合わせる肩揃え部(Ｄ１)と、この肩揃え部(Ｄ１)の終端位置で作物の茎葉部を切断する切断部(Ｄ２)とを備え、前記肩揃え部(Ｄ１)は、左右構成の肩揃えフレーム(４３，４３)に左右の土抜き孔部(４３ａ，４３ａ)を左右対応して切欠き形成し、これら左右の土抜き孔部(４３ａ，４３ａ)に左右構成の肩揃え回転体(４５，４５)の回転軸(４５ａ，４５ａ)を装着して作物の茎葉部を案内することにより、肩揃え部の堆積異物の排出を可能とするものである。【選択図】図１
2018019646.tif 000002
【特許請求の範囲】
【請求項１】
圃場から作物を引抜き搬送する引抜搬送装置(Ｃ)と、この引抜搬送装置(Ｃ)による搬送中の作物の茎葉部を一定長さに切断する茎葉切断装置(Ｄ)とを備える根菜類収穫機において、
前記茎葉切断装置(Ｄ)は、作物を一定の高さ位置に合わせる肩揃え部(Ｄ１)と、この肩揃え部(Ｄ１)の終端位置で作物の茎葉部を切断する切断部(Ｄ２)とを備え、前記肩揃え部(Ｄ１)は、左右構成の肩揃えフレーム(４３，４３)に左右の土抜き孔部(４３ａ，４３ａ)を左右対応して切欠き形成し、これら左右の土抜き孔部(４３ａ，４３ａ)に左右構成の肩揃え回転体(４５，４５)の回転軸(４５ａ，４５ａ)を装着して作物の茎葉部を案内することを特徴とする根菜類収穫機。
【請求項２】
前記左右配置の肩揃えフレーム(４３，４３)について、機体前側の左右の肩揃え従動回転体(４５，４５)と、機体後側の左右の肩揃え駆動回転体(４２，４２)と、これら左右の肩揃え従動回転体(４５，４５)および左右の肩揃え駆動回転体(４２，４２)に左右それぞれ巻回する左右の肩揃え無端帯(４８，４８)とを左右対応して備え、前記肩揃え従動回転体(４５，４５)を前後移動可能に前記土抜き孔部(４３ａ，４３ａ)に配置したことを特徴とする請求項１の記載の根菜類収穫機。
【請求項３】
前記左右の肩揃えフレーム(４３，４３)に摺動可能に左右の可動支持プレート(１４，１４)を対応して設け、これら左右の可動支持プレート(１４，１４)に前記従動回転体(４５，４５)を左右対応して取付けるとともに、前記土抜き孔部(４３ａ，４３ａ)の長手方向に付勢して前記肩揃え無端帯(４８，４８)を緊張させる調圧スプリング(２０，２０)を設けたことを特徴とする請求項１または２に記載の根菜類収穫機。
【請求項４】
前記左右の調圧スプリング(２０，２０)の付勢力を調節する張力調節体(２０ａ，２０ａ)を設けたことを特徴とする請求項３に記載の根菜類収穫機。
【請求項５】
前記左右の肩揃え従動回転体(４５，４５)を、肩揃え部(Ｄ１)の内外側方向に移動可能に支持する左右の間隔調節プレート(２９，２９)と、これら左右の間隔調節プレート(２９，２９)を肩揃え部(Ｄ１)の内側方向に付勢する内寄せ付勢スプリング(３０，３０)をそれぞれ設けたことを特徴とする請求項１から４のいずれか１項に記載の根菜類収穫機。
【請求項６】
前記左右の肩揃えフレーム(４３，４３)に、前記間隔調節プレート(２９，２９)と前記内寄せ付勢スプリング(３０，３０)を装着する取付孔部(４３ｂ，４３ｂ)をそれぞれ形成し、これら取付孔部(４３ｂ，４３ｂ)は、前記肩揃え部(Ｄ１)の内外側方向に形成し、前記取付孔部(４３ｂ，４３ｂ)に、前記内寄せ付勢スプリング(３０，３０)を支持する支持突起(４３ｃ，４３ｃ)を形成し、前記間隔調節プレート(２９，２９)は、肩揃えフレーム(４３，４３)の上部に設けたことを特徴とする請求項５に記載の根菜類収穫機。
【請求項７】
前記左右の肩揃え無端帯(４８，４８)は、チェーンカバー(５１)を装着し、これらチェーンカバー(５１)は、周回方向の前後端部について外周面の角を落としてテーパ部(５１ａ，５１ａ)を形成したことを特徴とする請求項１から６のいずれか１項に記載の根菜類収穫機。
【請求項８】
前記チェーンカバー(５１，５１)を前記無端帯(４８，４８)の周回軌跡上に案内する案内接触体(５３，５３)を前記左右の肩揃え従動回転体(４５，４５)に巻回する範囲で前記左右のチェーンカバー(５１，５１)の周回方向前側のテーパ部(５１ａ，５１ａ)に接触可能に、それぞれ前記肩揃えフレーム(４３，４３)に設けたことを特徴とする請求項７に記載の根菜類収穫機。
【発明の詳細な説明】
【技術分野】
【０００１】
本発明は、引抜いた根菜類を肩揃部に引継いで茎葉部を切り揃える茎葉切断装置を備える根菜類収穫機に関する。
【背景技術】
【０００２】
先行特許文献１に記載の根菜類収穫機は、引抜いたダイコン等の根菜類作物の茎葉部を切り落すために、搬送中の作物に接触し、切断装置による茎葉部の切断高さを揃える肩揃え装置を備える。この肩揃え装置の前部に設ける肩揃え従動スプロケットは移動可能に設けられ、作物の茎葉部の太さに合わせて移動し、茎葉部が肩揃え装置の左右間隔部に詰まることを防止してる。そして、この肩揃え装置は、作物が接触する箱型のチェーンカバーを肩揃えチェーンのリンク外周に取り付けることで、茎葉部の噛み込みや水の浸入によるスリップが生じにくい構成としている。
【先行技術文献】
【特許文献】
【０００３】
【特許文献１】特許第５８５３４６７号公報
【発明の概要】
【発明が解決しようとする課題】
【０００４】
しかしながら、この肩揃え装置では、作物に付着している土が肩揃えフレームと肩揃え従動スプロケットの間に入り込んでも排出する経路が設定されていないので、土が堆積して肩揃え従動スプロケットの回転を妨げ、肩揃え装置を停止させ、作物が搬送されない状態を生じさせる問題がある。
また、茎葉部の太さに合わせて移動する肩揃え従動スプロケットを付勢するスプリングの付勢力が一定であるので、極端に径の太い茎葉部が通過する際に肩揃え装置の間隔が十分に拡がらず、茎葉部が詰まって肩揃え装置が停止する問題がある。
【０００５】
そして、チェーンカバーが箱型であることにより、肩揃えチェーンがスプロケットに沿って周回する位置では、チェーンカバーの端部が突出する姿勢となり、隣接するチェーンカバーとの空間部が大きくなる。このとき、茎葉部がチェーンカバー同士の空間部に入り込むと、茎葉部が肩揃えチェーンに噛み込まれ、作物が肩揃え装置に接触せず、作物側に茎葉部が長く残され、作業者が手作業で茎葉部を除去する必要が生じる。
さらに、茎葉部が肩揃えチェーンに引き込まれて千切れると、作物が搬送経路からはずれた位置に落下し、手作業で回収する必要が生じる。
【０００６】
本発明の目的は、肩揃え部の異物堆積を防止して円滑な肩揃えによる茎葉切断を確保しうる茎葉切断装置を備える根菜類収穫機を提供することにある。
【課題を解決するための手段】
【０００７】
請求項１に係る発明は、圃場から作物を引抜き搬送する引抜搬送装置(Ｃ)と、この引抜搬送装置(Ｃ)による搬送中の作物の茎葉部を一定長さに切断する茎葉切断装置(Ｄ)とを備える根菜類収穫機において、前記茎葉切断装置(Ｄ)は、作物を一定の高さ位置に合わせる肩揃え部(Ｄ１)と、この肩揃え部(Ｄ１)の終端位置で作物の茎葉部を切断する切断部(Ｄ２)とを備え、前記肩揃え部(Ｄ１)は、左右構成の肩揃えフレーム(４３，４３)に左右の土抜き孔部(４３ａ，４３ａ)を左右対応して切欠き形成し、これら左右の土抜き孔部(４３ａ，４３ａ)に左右構成の肩揃え回転体(４５，４５)の回転軸(４５ａ，４５ａ)を装着して作物の茎葉部を案内することを特徴とする。
【０００８】
請求項２に係る発明は、請求項１に係る発明において、前記左右配置の肩揃えフレーム(４３，４３)について、機体前側の左右の肩揃え従動回転体(４５，４５)と、機体後側の左右の肩揃え駆動回転体(４２，４２)と、これら左右の肩揃え従動回転体(４５，４５)および左右の肩揃え駆動回転体(４２，４２)に左右それぞれ巻回する左右の肩揃え無端帯(４８，４８)とを左右対応して備え、前記肩揃え従動回転体(４５，４５)を前後移動可能に前記土抜き孔部(４３ａ，４３ａ)に配置したことを特徴とする。
【０００９】
請求項３に係る発明は、請求項１または２に係る発明において、前記左右の肩揃えフレーム(４３，４３)に摺動可能に左右の可動支持プレート(１４，１４)を対応して設け、これら左右の可動支持プレート(１４，１４)に前記従動回転体(４５，４５)を左右対応して取付けるとともに、前記土抜き孔部(４３ａ，４３ａ)の長手方向に付勢して前記肩揃え無端帯(４８，４８)を緊張させる調圧スプリング(２０，２０)を設けたことを特徴とする。
【００１０】
請求項４に係る発明は、請求項３に係る発明において、前記左右の調圧スプリング(２０，２０)の付勢力を調節する張力調節体(２０ａ，２０ａ)を設けたことを特徴とする。
【００１１】
請求項５に係る発明は、請求項１から４のいずれかに係る発明において、前記左右の肩揃え従動回転体(４５，４５)を、肩揃え部(Ｄ１)の内外側方向に移動可能に支持する左右の間隔調節プレート(２９，２９)と、これら左右の間隔調節プレート(２９，２９)を肩揃え部(Ｄ１)の内側方向に付勢する内寄せ付勢スプリング(３０，３０)をそれぞれ設けたことを特徴とする。
【００１２】
請求項６に係る発明は、請求項５に係る発明において、前記左右の肩揃えフレーム(４３，４３)に、前記間隔調節プレート(２９，２９)と前記内寄せ付勢スプリング(３０，３０)を装着する取付孔部(４３ｂ，４３ｂ)をそれぞれ形成し、これら取付孔部(４３ｂ，４３ｂ)は、前記肩揃え部(Ｄ１)の内外側方向に形成し、前記取付孔部(４３ｂ，４３ｂ)に、前記内寄せ付勢スプリング(３０，３０)を支持する支持突起(４３ｃ，４３ｃ)を形成し、前記間隔調節プレート(２９，２９)は、肩揃えフレーム(４３，４３)の上部に設けたことを特徴とする。
【００１３】
請求項７に係る発明は、請求項１から６のいずれかに係る発明において、前記左右の肩揃え無端帯(４８，４８)は、チェーンカバー(５１)を装着し、これらチェーンカバー(５１)は、周回方向の前後端部について外周面の角を落としてテーパ部(５１ａ，５１ａ)を形成したことを特徴とする。
【００１４】
請求項８に係る発明は、請求項７に係る発明において、前記チェーンカバー(５１，５１)を前記無端帯(４８，４８)の周回軌跡上に案内する案内接触体(５３，５３)を前記左右の肩揃え従動回転体(４５，４５)に巻回する範囲で前記左右のチェーンカバー(５１，５１)の周回方向前側のテーパ部(５１ａ，５１ａ)に接触可能に、それぞれ前記肩揃えフレーム(４３，４３)に設けたことを特徴とする。
【発明の効果】
【００１５】
請求項１に係る発明は、左右構成の肩揃えフレーム(４３，４３)に土抜き孔部(４３ａ，４３ａ)を切欠き形成することにより、土抜き孔部(４３ａ，４３ａ)から堆積物を排出することができるので、肩揃え回転体(４５，４５)と肩揃えフレーム(４３，４３)との間に堆積物が詰まり、肩揃え部(Ｄ１)の作動が停止することが防止される。
【００１６】
請求項２に係る発明は、請求項１に係る発明の効果に加え、作物と接触する機会の多い肩揃えフレーム(４３，４３)の機体前側に土抜き孔部(４３ａ，４３ａ)を形成することにより、体積物が切欠きの開口から排出されるので、肩揃え部(Ｄ１)の作動が停止することが防止される。
また、左右の肩揃えフレーム(４３，４３)について土抜き孔部(４３ａ，４３ａ)をそれぞれ一カ所だけに形成することにより、肩揃えフレーム(４３，４３)の強度の低下が防止される。
【００１７】
請求項３に係る発明は、請求項１または２に係る発明の効果に加え、可動支持プレート(１４，１４)を調圧スプリング(２０，２０)で付勢することにより、肩揃え部(Ｄ１)に負荷がかかった際に肩揃え従動回転体(４５，４５)が土抜き孔部(４３ａ，４３ａ)に沿って移動することができるので、肩揃え部(Ｄ１)が停止したり、破損することが防止される。
また、調圧スプリング(２０，２０)の付勢方向を土抜き孔部(４３ａ，４３ａ)の長手方向としたことにより、肩揃え従動回転体(４５，４５)が土抜き孔部(４３ａ，４３ａ)に沿って移動すると土を押し出すことができるので、土の詰まりにより肩揃え従動回転体(４５，４５)と肩揃えフレーム(４３，４３)の間に土が溜まることが防止される。
【００１８】
請求項４に係る発明は、請求項３に係る発明の効果に加え、張力調節体(２０ａ，２０ａ)を設けたことにより、作物に付着する土の量や、肩揃え部(Ｄ１)を通過する作物の茎葉部の大きさに合わせて調圧スプリング(２０，２０)の付勢力を変更することができるので、肩揃え部(Ｄ１)に茎葉部が詰まることが防止され、作物の収穫作業が中断されることが防止される。
また、肩揃え部(Ｄ１)の作物の茎葉部の通過空間を、作物が通過してしまうことを防止できるので、作物の肩揃え位置が乱れることが防止される。
【００１９】
請求項５に係る発明は、請求項１から４のいずれかに係る発明の効果に加え、左右の肩揃え従動回転体(４５，４５)が肩揃え部(Ｄ１)の内外側方向にそれぞれ移動可能であることにより、肩揃え部(Ｄ１)を通過する茎葉部の幅に合わせて肩揃え左右の従動回転体(４５，４５)が移動するので、肩揃え部(Ｄ１)の始端部に茎葉部が詰まることが防止される。
また、左右の間隔調節プレート(２９，２９)をそれぞれ内寄せ付勢スプリング(３０，３０)で付勢することにより、外側方向に移動した肩揃え従動回転体(４５，４５)を内側方向に戻すことができるので、茎葉部の通過間隔が一定に保たれ、作物の肩揃え精度が維持される。
【００２０】
請求項６に係る発明は、請求項５に係る発明の効果に加え、前記左右の肩揃えフレーム(４３，４３)にそれぞれ取付孔部(４３ｂ，４３ｂ)を形成したことにより、間隔調節プレート(２９，２９)に載った土等を取付孔部(４３ｂ，４３ｂ)から排出することができるので、土の詰まりにより肩揃え部(Ｄ１)が停止することが防止される。
また、左右の取付孔部(４３ｂ，４３ｂ)に内寄せ付勢スプリング(３０，３０)を支持する支持突起(４３ｃ，４３ｃ)をそれぞれ形成したことにより、左右の肩揃えフレーム(４３，４３)がそれぞれ内寄せ付勢スプリング(３０，３０)の支持体となるので、部品点数の削減が図られる。
【００２１】
請求項７に係る発明は、請求項１から６のいずれかに係る発明の効果に加え、チェーンカバー(５１)の前後端の外周面角部を落とすことで、肩揃え部(Ｄ１)の屈曲部でのチェーンカバー(５１)の突出量を抑えることができるので、肩揃え部(Ｄ１)のコンパクト化が図られる。
また、チェーンカバー(５１)が直列状に並ぶと隣接するチェーンカバー(５１，５１)間のテーパ部(５１ａ，５１ａ)によって凹部が形成され、茎葉部をこの凹部に入り込ませることができるので、径の大きい茎葉部が肩揃え部(Ｄ１)を押し広げすぎることが防止され、肩揃えの精度が安定する。
【００２２】
請求項８に係る発明は、請求項７に係る発明の効果に加え、前記左右のチェーンカバー(５１，５１)の周回方向前側のテーパ部(５１ａ，５１ａ)に接触可能に案内接触体(５３，５３)を設けたことにより、肩揃え従動回転体(４５，４５)との接触により向きの変わったチェーンカバー(５１，５１)を肩揃え無端帯(４８，４８)の周回軌跡位置に戻すことができるので、隣接するチェーンカバー(５１)同士の間隔が開き過ぎることが防止され、肩揃え精度が向上する。
また、案内接触体(５３，５３)を肩揃え従動回転体(４５，４５)が肩揃え無端帯(４８，４８)に接触している箇所に設けたことにより、案内接触体(５３，５３)とチェーンカバー(５１)の接触時に肩揃え無端帯(４８，４８)が離れることを防止できる。
【図面の簡単な説明】
【００２３】
【図１】茎葉切断部の要部平面図
【図２】茎葉切断部の要部側面断面図
【図３】従動スプロケット支持部（片側）の拡大平面図
【図４】従動スプロケット支持部（片側）の拡大平面側面断面図
【図５】別構成の従動スプロケット支持部（片側）の拡大平面図
【図６】ニンジン収穫機の平面図
【図７】ニンジン収穫機の側面図
【発明を実施するための形態】
【００２４】
上記技術思想に基づいて具体的に構成された実施の形態について以下に図面を参照しつつ説明する。なお、説明においては、作業機の前進方向を基準に、前後、左右と云う。
【００２５】
（根菜類収穫機）
本発明に係る根菜類収穫機１は、ニンジン収穫機の例について全体構成を説明すると、その平面図および側面図を、順に、図６、図７に示すように、圃場走行可能に機体を走行支持する走行部Ａと、操縦者が搭乗する操縦部Ｂと、機体左右一側で圃場からニンジンを引抜く引抜搬送部Ｃと、この引抜搬送部Ｃからニンジンを引継いで機体後方に向かう搬送線Ｔに沿って搬送しながら作物の茎葉部を切断する茎葉切断部Ｄと、この茎葉切断部Ｄから落下するニンジンを受けて、残った茎葉部を処理しながら機体左右他側へ搬送する引継搬送部Ｅと、この引継搬送部Ｅからニンジンを引継いで、補助作業者が選別可能にニンジンを機体後側へ搬送する選別搬送部Ｆと、この選別搬送部Ｆから排出されるニンジンを収容するフレコン等の収容部材を配置する収容部Ｇとから構成される。
【００２６】
（茎葉切断部）
茎葉切断部Ｄは、その要部の平面図および側面断面図を順に、図１、図２に示すように、左右配置の肩揃えフレーム４３，４３に左右の無端チェーン４８，４８を対向配置してニンジンの根体部を所定高さ位置に揃える肩揃え部Ｄ１と、この肩揃え部Ｄ１の終端に臨む左右の回転刃６０，６０によって茎葉部を上下に分断する切断部Ｄ２と、その後方に続く不図示の排葉部とによって構成され、引抜搬送部Ｃによって後方に搬送される作物の葉元部の高さ位置を肩揃え部Ｄ１によって揃えた上で切断部Ｄ２に案内することにより、茎葉部を所定長さ位置で切断する。
【００２７】
（肩揃え部）
肩揃え部Ｄ１は、左右の肩揃えフレーム４３，４３それぞれについて、前端部の従動スプロケット４５，４５から、後部のアイドルスプロケット４７，４７を介して、後端部の駆動スプロケット４２，４２に巻回した無端帯であるタッピングチェーン４８，４８を対向周回するとともに、タッピングチェーン４８，４８の外周をカバーするチェーンカバー５１…を各チェーンリンク４８ａ…に設ける。
【００２８】
詳細には、従動スプロケット支持部（片側）の拡大平面図および側面断面図を順に図３、図４に示すように、従動スプロケット４５を前後移動可能な可動プレート１４によってテンショナを設けるとともに、左右調節可能に間隔調節プレート２９を設ける。
支持プレートの前方を切欠いてゴミ排出可能に形成し、肩揃えフレーム４３によって伸びの限度を規制可能に構成する。肩揃えフレームの前端部は、ゴミがテンション力で押出されるようにテーパ状にカットする。
【００２９】
テンショナ構成部は、長穴部のゴミが下に落ちるように、ゴミ抜き穴１４ａを設ける。ゴミ抜き穴１４ａは、伸びと縮みの双方に作用するように従動スプロケット４５，４５の支軸４５ａの前後に形成する。また、肩揃えフレーム４３の長穴前端部を切欠いても同様のゴミ抜き穴を形成することができる。
【００３０】
テンショナ構成部に張力調節用のアジャストナット２０ａを設け、張力を保つために、プリロードを変更可能に構成する。アジャストナット２０ａには、スプリング力で回り止めができる。また、アジャストナット２０ａにロックピンを設けても同様に構成することができる。
【００３１】
チェンリンクのローラは、含油部材である含油ブシュとすることで、固着を防ぐことができる。また、アイドルスプロケット４７を含油材料とすることで、注油フリーの取扱いが可能となる。
【００３２】
前端の従動スプロケット４５は、茎葉の大小に追従するように、間隔調節プレート２９によってそれぞれの内側へ押込み可能に構成する。間隔調節プレート２９は、稼動プレートに幅方向のテンショナを設け、外側に自動テンション用のロッドとスプリング３０を設ける。
【００３３】
また、間隔調節プレート２９には、前記ゴミ抜き穴１４ａと土抜き孔部４３ａと重複する位置に、前記従動スプロケット４５の支軸４５ａが前後移動可能な移動孔部２９ａを形成する。該移動孔部２９ａは、間隔調節プレート２９の前端部を切り欠いて形成し、支軸４５ａが前後移動する際に肩揃えフレーム４３に乗った土を押し出すことができる構成とする。押し出された土は、移動孔部２９ａの前方から、あるいはゴミ抜き穴１４ａ，１４ａから落下するが、土の詰まりにより支軸４５ａの回転が停止することが防止される。これにより、肩揃え部Ｄ１の停止が防止されるので、収穫作業が中断されることがなく、作業能率が向上する。
【００３４】
さらに、前記肩揃えフレーム４３には、間隔調節プレート２９には土抜き孔部４３ａよりも機体外側に左右方向の調節長孔４３ｃ，４３ｃを形成し、間隔調節プレート２９に設ける調節ピン２９ｂ，２９ｂを左右方向に摺動自在に挿入する。そして、前記間隔調節プレート２９の機体外側には、間隔調節プレート２９を左右方向に移動させて位置を決めるアジャストボルト３０ａを、負荷を軽減するためのスプリング３０を介して装着する。なお、間隔調節プレート２９を左右方向に移動させる際、前記支軸４５ａの左右移動を許容すべく、前記土抜き孔部４３ａの左右幅は、支軸４５ａの径よりも広く構成する。
【００３５】
間隔調節プレート２９の左右位置を変更することにより、左右の従動スプロケット４５，４５の左右位置が変更され、肩揃え部Ｄ１の搬送方向上手側の左右間隔が変更される。これにより、収穫する作物の成長度合いや品種による茎葉の太さに適した間隔設定ができるので、茎葉部が肩揃え部Ｄ１に詰まって移動しなくなり、収穫作業が中断されることが防止される。
【００３６】
また、アジャストボルト３０ａは、スプリング３０を介して装着されているので、茎葉部の太さが左右間隔より太いものであっても、間隔調節プレート２９が移動して肩揃え部Ｄ１の搬送方向上手側の左右間隔を広くするので、茎葉部の詰りや、負荷による破損が防止される。
【００３７】
また、内側レールプレート３２は、タッピングチェーン４８を上から押さえる規制部分をステー部と一体に構成し、また、リンク４８ａを押すガイド部分を板バネ等によって構成することにより、大小の茎葉に追従可能となる。
【００３８】
ガイド部分は、間欠配置して左右でチェン４８を蛇行可能に構成し、内側レールプレート３２と共締めに構成し、また、内側レールプレート３２は、鋳鉄等のかじりにくい素材を用いる。
【００３９】
また、別構成の従動スプロケット支持部（片側）の拡大平面図を図５に示すように、間隔調節プレート２９のテンションスプリング３０のガイドロッドをプレート自身が兼ねて構成する。
【００４０】
すなわち、スプリング３０は、肩揃えフレーム４３に形成した取付孔部４３ｂに埋めこむことにより、上下厚を小さくコンパクトに構成することができる。肩揃えフレーム４３に取付孔部４３ｂを穴状に形成することにより、穴からゴミが抜けてスプリングの作動を確保することができる。
【００４１】
（タッピングチェーン）
また、肩揃え部Ｄ１において、タッピングチェーン４８は、折れ曲がり時の張出しを抑えるために、各外リンク４８ａ…の前後端の外側コーナをカットしてテーパ部５１ａ，５１ａを成形する。隣り合う外リンク４８ａ，４８ａのテーパ部５１ａ，５１ａによって凹みが形成されることにより、茎葉の大小サイズに対応して追従性と搬送性を向上することができ、また、各テーパ部５１ａ，５１ａによって巻回行程の張出しが押さえられことで、チェンリンク内への泥の侵入が抑えられる。テーパ部５１ａ，５１ａに折曲げ等によりカバーを設けることで、さらに泥侵入を抑えることができる。
【００４２】
また、内リンクにも折曲部を設けてカバーすることにより、リンク内の泥侵入防止することができる。折曲部は、下プレートから上に折り上げることで、タッピング時の侵入を防止することができる。また、上下両側から折曲部を設けることによっても同様に構成することができ、内リンクの折曲部により、隣り合う外リンクの隙間を埋めることができる。
【００４３】
また、肩揃え部Ｄ１において、茎葉追従のへこみを作り易くするために、内側レールプレート３２の規制プレート部に複数のローラを設け、ローラ間をプレートで埋めて凹みすぎないようにする。ローラと規制部の作用高さに差を設け、左右でローラを千鳥配置に構成する。
【００４４】
また、タッピングチェーン４８の外リンクを押さえて直線に戻す案内接触体として戻しローラ５３を設け、チェンが逃げることなく、戻しローラ５３が間隔調節プレート２９と一体で動くように、戻しローラ５３はスプロケット４５が掛かっている部分に配置する。
【００４５】
具体的には、図５に示すとおり、間隔調節プレート２９の機体前側で且つ非肩揃え作用側に戻し回転軸５３ａを下方に向けて設け、該戻し回転軸５３ａに戻しローラ５３を回転自在で、且つ前記従動スプロケット４５の非肩揃え作用側に配置する。
【００４６】
該戻しローラ５３は、通常はチェーンカバー５１の外周面から非肩揃え作用側に僅かに離間する位置にあり、タッピングチェーン４８が従動スプロケット４５に沿って移動する位置でチェーンカバー５１がタッピングチェーン４８の移動方向からズレた姿勢になると、チェーンカバー５１の突出部が戻しローラ５３に接触し、チェーンカバー５１をタッピングチェーン４８の移動方向に沿う姿勢とする。
【００４７】
これにより、肩揃え作用側でチェーンカバー５１を直線上に並ばせることができるので、茎葉部の通過幅の狭い部分が生じることが防止され、詰まりによる作業の停止が防止されると共に、茎葉部の切断位置が安定する。
なお、間隔調節プレート２９の左右方向の移動に連動して戻し回転軸５３ａを移動可能とすべく、肩揃えフレーム４３には、戻し回転軸５３ａが通過する左右方向の長孔５３ｂを形成する。
【００４８】
アイドルスプロケット４７は、作用幅を変更可能に構成し、また、上に突出しないように、固定プレートによって下部から固定する。アイドルスプロケット４７の固定プレートに長穴を形成することにより、下部からの調節が容易となる。また、固定ボルトをアイドルスプロケット４７の外周よりも突出させることにより、調節が容易となる。
【００４９】
また、タッピングチェーンの自動テンションの左右移動に合わせて規制プレート３２も動くように構成する。すなわち、自動テンション１４の動きを妨げないように規制プレート３２に長穴を形成し、後部に回動支点を設け、内寄せしたときの弛みを抑えるように、自動テンション１４のステーにレール部を設け、スプリング力を変更できるように、自動テンション１４の規制プレートを可動式に構成する。
【００５０】
（技術的ポイント）
上記構成の根菜類収穫機の技術的ポイントをまとめると、次のとおりである。
茎葉切断装置Ｄは、作物を一定の高さ位置に合わせる肩揃え部Ｄ１と、この肩揃え部Ｄ１の終端位置で作物の茎葉部を切断する切断部Ｄ２とを備え、肩揃え部Ｄ１は、左右構成の肩揃えフレーム４３，４３に左右の土抜き孔部４３ａ，４３ａを左右対応して切欠き形成し、これら左右の土抜き孔部４３ａ，４３ａに左右構成の肩揃え回転体４５，４５の回転軸４５ａ，４５ａを装着して作物の茎葉部を案内する。
【００５１】
このように、左右構成の肩揃えフレーム４３，４３に土抜き孔部４３ａ，４３ａを切欠き形成することにより、土抜き孔部４３ａ，４３ａから堆積物を排出することができるので、肩揃え回転体４５，４５と肩揃えフレーム４３，４３との間に堆積物が詰まり、肩揃え部Ｄ１の作動が停止することが防止される。
【００５２】
また、茎葉切断装置Ｄは、左右配置の肩揃えフレーム４３，４３について、機体前側の左右の肩揃え従動回転体４５，４５と、機体後側の左右の肩揃え駆動回転体４２，４２と、これら左右の肩揃え従動回転体４５，４５および左右の肩揃え駆動回転体４２，４２に左右それぞれ巻回する左右の肩揃え無端帯４８，４８とを左右対応して備え、肩揃え従動回転体４５，４５を前後移動可能に土抜き孔部４３ａ，４３ａに配置する。
【００５３】
このように、作物と接触する機会の多い肩揃えフレーム４３，４３の機体前側に土抜き孔部４３ａ，４３ａを形成することにより、体積物が切欠きの開口から排出されるので、肩揃え部Ｄ１の作動が停止することが防止される。
また、左右の肩揃えフレーム４３，４３について土抜き孔部４３ａ，４３ａをそれぞれ一カ所だけに形成することにより、肩揃えフレーム４３，４３の強度の低下が防止される。
【００５４】
また、茎葉切断装置Ｄは、左右の肩揃えフレーム４３，４３に摺動可能に左右の可動支持プレート１４，１４を対応して設け、これら左右の可動支持プレート１４，１４に従動回転体４５，４５を左右対応して取付けるとともに、土抜き孔部４３ａ，４３ａの長手方向に付勢して肩揃え無端帯４８，４８を緊張させる調圧スプリング２０，２０を設ける。
【００５５】
このように、可動支持プレート１４，１４を調圧スプリング２０，２０で付勢することにより、肩揃え部Ｄ１に負荷がかかった際に肩揃え従動回転体４５，４５が土抜き孔部４３ａ，４３ａに沿って移動することができるので、肩揃え部Ｄ１が停止したり、破損することが防止される。
また、調圧スプリング２０，２０の付勢方向を土抜き孔部４３ａ，４３ａの長手方向としたことにより、肩揃え従動回転体４５，４５が土抜き孔部４３ａ，４３ａに沿って移動すると土を押し出すことができるので、土の詰まりにより肩揃え従動回転体４５，４５と肩揃えフレーム４３，４３の間に土が溜まることが防止される。
【００５６】
また、茎葉切断装置Ｄは、左右の調圧スプリング２０，２０の付勢力を調節する張力調節体２０ａ，２０ａを設けることにより、作物に付着する土の量や、肩揃え部Ｄ１を通過する作物の茎葉部の大きさに合わせて調圧スプリング２０，２０の付勢力を変更することができるので、肩揃え部Ｄ１に茎葉部が詰まることが防止され、作物の収穫作業が中断されることが防止される。
また、肩揃え部Ｄ１の作物の茎葉部の通過空間を、作物が通過してしまうことを防止できるので、作物の肩揃え位置が乱れることが防止される。
【００５７】
また、茎葉切断装置Ｄは、左右の肩揃え従動回転体４５，４５を、肩揃え部Ｄ１の内外側方向に移動可能に支持する左右の間隔調節プレート２９，２９と、これら左右の間隔調節プレート２９，２９を肩揃え部Ｄ１の内側方向に付勢する内寄せ付勢スプリング３０，３０をそれぞれ設ける。
【００５８】
このように、左右の肩揃え従動回転体４５，４５が肩揃え部Ｄ１の内外側方向にそれぞれ移動可能であることにより、肩揃え部Ｄ１を通過する茎葉部の幅に合わせて肩揃え左右の従動回転体４５，４５が移動するので、肩揃え部Ｄ１の始端部に茎葉部が詰まることが防止される。
また、左右の間隔調節プレート２９，２９をそれぞれ内寄せ付勢スプリング３０，３０で付勢することにより、外側方向に移動した肩揃え従動回転体４５，４５を内側方向に戻すことができるので、茎葉部の通過間隔が一定に保たれ、作物の肩揃え精度が維持される。
【００５９】
また、茎葉切断装置Ｄは、左右の肩揃えフレーム４３，４３に、間隔調節プレート２９，２９と内寄せ付勢スプリング３０，３０を装着する取付孔部４３ｂ，４３ｂをそれぞれ形成し、これら取付孔部４３ｂ，４３ｂは、肩揃え部Ｄ１の内外側方向に形成し、取付孔部４３ｂ，４３ｂに、内寄せ付勢スプリング３０，３０を支持する支持突起４３ｃ，４３ｃを形成し、間隔調節プレート２９，２９は、肩揃えフレーム４３，４３の上部に設ける。
【００６０】
このように、、左右の肩揃えフレーム４３，４３にそれぞれ取付孔部４３ｂ，４３ｂを形成したことにより、間隔調節プレート２９，２９に載った土等を取付孔部４３ｂ，４３ｂから排出することができるので、土の詰まりにより肩揃え部Ｄ１が停止することが防止される。
また、左右の取付孔部４３ｂ，４３ｂに内寄せ付勢スプリング３０，３０を支持する支持突起４３ｃ，４３ｃをそれぞれ形成したことにより、左右の肩揃えフレーム４３，４３がそれぞれ内寄せ付勢スプリング３０，３０の支持体となるので、部品点数の削減が図られる。
【００６１】
また、茎葉切断装置Ｄは、左右の肩揃え無端帯４８，４８は、チェーンカバー５１を装着し、これらチェーンカバー５１は、周回方向の前後端部について外周面の角を落としてテーパ部５１ａ，５１ａを形成する。
【００６２】
このように、チェーンカバー５１の前後端の外周面角部を落とすことで、肩揃え部Ｄ１の屈曲部でのチェーンカバー５１の突出量を抑えることができるので、肩揃え部Ｄ１のコンパクト化が図られる。
また、チェーンカバー５１が直列状に並ぶと隣接するチェーンカバー５１，５１間のテーパ部５１ａ，５１ａによって凹部が形成され、茎葉部をこの凹部に入り込ませることができるので、径の大きい茎葉部が肩揃え部Ｄ１を押し広げすぎることが防止され、肩揃えの精度が安定する。
【００６３】
また、茎葉切断装置Ｄは、チェーンカバー５１，５１を無端帯４８，４８の周回軌跡上に案内する案内接触体５３，５３を左右の肩揃え従動回転体４５，４５に巻回する範囲で左右のチェーンカバー５１，５１の周回方向前側のテーパ部５１ａ，５１ａに接触可能に、それぞれ肩揃えフレーム４３，４３に設ける。
【００６４】
このように、左右のチェーンカバー５１，５１の周回方向前側のテーパ部５１ａ，５１ａに接触可能に案内接触体５３，５３を設けたことにより、肩揃え従動回転体４５，４５との接触により向きの変わったチェーンカバー５１，５１を肩揃え無端帯４８，４８の周回軌跡位置に戻すことができるので、隣接するチェーンカバー５１同士の間隔が開き過ぎることが防止され、肩揃え精度が向上する。
また、案内接触体５３，５３を肩揃え従動回転体４５，４５が肩揃え無端帯４８，４８に接触している箇所に設けたことにより、案内接触体５３，５３とチェーンカバー５１の接触時に肩揃え無端帯４８，４８が離れることを防止できる。
【符号の説明】
【００６５】
１      根菜類収穫機
１４    可動支持プレート（自動テンション）
２０    調圧スプリング
２０ａ  張力調節体（アジャストナット）
２９    間隔調節プレート
３０    付勢スプリング（テンションスプリング）
４２    駆動回転体（駆動スプロケット）
４３    肩揃えフレーム
４３ａ  土抜き孔部
４３ｂ  取付孔部
４３ｃ  支持突起
４５    従動回転体（従動スプロケット）
４５ａ  回転軸（支軸）
４８    無端帯（タッピングチェーン）
５１    チェーンカバー
５１ａ  テーパ部
５３    案内接触体（ローラ）
Ｃ      引抜搬送装置
Ｄ      茎葉切断装置
Ｄ１    肩揃え部
Ｄ２    切断部
【図１】
2018019646.tif 000003
【図２】
2018019646.tif 000004
【図３】
2018019646.tif 000005
【図４】
2018019646.tif 000006
【図５】
2018019646.tif 000007
【図６】
2018019646.tif 000008
【図７】
2018019646.tif 000009